(57)【要約】      （修正有）【課題】プルトップ付き飲料缶のプルトップの付いた上蓋を、上蓋の内周に沿って円形状に正確に切り取り、かつ、切り取った上蓋が飲料の中へ落下することを防止できる円筒形缶切りを提供する。【解決手段】プルトップ付き飲料缶のプルトップのついた上蓋を、上蓋の内周に沿って円形状に正確に切り取る機構を備え、その機構が、上部から底部に向かって末広がりの形状を有する金属製の円筒ｋを外側に、底部先端部に複数の切り刃ｇを設けた上部と底部の直径が同じ金属製の円筒を内側ｉに配して、これらふたつの円筒ｋ，ｉを２ｍｍ程度の隙間ｊをあけて上部接合部で接合した構造を有する。プルトップに開いている穴に差し込むことにより、切り取った上蓋が飲料の中に落下するのを防止するための、上蓋落下防止用突起ｅをふたつの円筒ｋ，ｉの上部接合部に設ける。【選択図】図３
0003189534.tif 000002
【実用新案登録請求の範囲】
【請求項１】
プルトップ付き飲料缶のプルトップのついた上蓋を、上蓋の内周に沿って円形状に正確に切り取る機構を備えた円筒形の缶切りであって、その機構が、上部から底部に向かって末広がりの形状を有する金属製の円筒を外側に、上部と底部の直径が同じ金属製の円筒を内側に配して、これらふたつの円筒を２ｍｍ程度の間隔をあけて上部で接合した構造を有することを特徴とする円筒形缶切り。
【請求項２】
ふたつの円筒の上部接合部に、切り取った上蓋が飲料の中に落下するのを防止するための上蓋落下防止用突起を設けた、請求項１に記述の円筒形缶切り。
【請求項３】
内側の円筒の底部先端部に複数の切り刃を設けた、請求項１に記述の円筒形缶切り。
【考案の詳細な説明】
【技術分野】
【０００１】
本考案は、プルトップ付き飲料缶の上蓋を円形状に正確に切り取り、さらに、切り取った上蓋が飲料の中に落下することを防止するための、上蓋落下防止用突起を設けた円筒形缶切りに関するものである。
【背景技術】
【０００２】
プルトップ付き飲料缶から直接飲料を飲む場合には、プルトップで開口した小さな飲み口から出る飲料の量には一定の制限があり、コップに注いだ状態から飲むような飲み方はできなかった。このために飲料の種類によっては、例えば、ビールのような飲料では飲料本来の味を十分に引き出す飲み方ができなかった。
【先行技術文献】
【特許文献】
【０００３】
【特許文献１】特開平９−２５５０９１号  公報
【特許文献２】特開２００１−７２１８８号  公報
【非特許文献】
【０００４】
【非特許文献１】実開平６−５９２９７号公報
【非特許文献２】実用新案登録第３１７６７８３号公報
【考案の概要】
【考案が解決しようとする課題】
【０００５】
従来技術では、プルトップ付き飲料缶で、その缶の直径が缶の最上部から底部に向かって末広がりの形状を有する飲料缶の場合には、上蓋を上蓋の内周に沿って正確に円形状に切り取ることができなかった。さらに、切り取った上蓋が飲料の中に落下することを防止できなかった。
そこで、本考案は、上述のプルトップ付き飲料缶の上蓋を、飲料缶本体から円形状に正確に切り取りことができない問題と、切り取った上蓋が飲料の中に落下してしまう問題を同時に解決しようとするものである。
【課題を解決するための手段】
【０００６】
本考案の円筒形缶切りは、外側の円筒の形状を上部から底部に向かって末広がりにすることで、飲料缶の直径が缶の最上部から底部に向かって２０ｍｍ程度の間に１０ｍｍ程度拡大するプルトップ付き飲料缶のプルトップのついた上蓋を、上蓋の内周に沿って円形状に正確に切り取ることを可能にした。
さらに、上部接合部に、切り取った上蓋が飲料の中に落下するのを防止するための上蓋落下防止用突起を設けることにより、切り取った上蓋が飲料の中に落下してしまう問題を解決している。
【考案の効果】
【０００７】
本考案は、上述の構成を備えることにより次の効果を奏する。すなわち、プルトップ付き飲料缶の上蓋を飲料缶の内周に沿って円形状に正確に切り取ることによって、プルトップ付き飲料缶をコップと同様の形状にすることができる。このため、プルトップによって開口された小さな飲み口から飲む場合と異なり、コップに注がれた状態から飲む場合と同様の飲み方が可能になる。そのことによって、特にビールのような飲料では飲料本来の味を十分引き出す飲み方が可能となる。
【図面の簡単な説明】
【０００８】
【図１】本考案の斜視図である。
【図２】本考案を真上から見た平面図である。
【図３】本考案の上蓋落下防止用突起の中心線に沿った一部切欠断面図である。
【考案を実施するための形態】
【０００９】
本考案の円筒形缶切りは、形状の異なるふたつの円筒、すなわち、上部から底部に向かって末広がりの形状を有し、かつ、外周面に滑り止め用溝が設けられた外側の円筒と、底部先端に複数の切り刃が設けられた上部と底部の直径が等しい内側の円筒、そして、それらふたつの円筒の上部接合部、さらに、ふたつの円筒の上部接合部に設けられた上蓋落下防止用突起の組み合わせから成る。
【実施例】
【００１０】
以下、添付図面に従って一実施例を説明する。本考案の円筒形缶切りは、上部から底部に向かって末広がりの形状を持つ外側の円筒ｋと、上部と底部の直径が同じ内側の円筒ｉのふたつの円筒を２ｍｍ程度の間隔をあけて上部接合部ｄで同心円上に接合した構造を有し、ふたつの円筒の上部接合部ｄには、切り取った上蓋が飲料の中に落下するのを防止するための上蓋落下防止用突起ｅが設けられ、内側の円筒ｉの底部先端には長さ３ｍｍ程度の複数の切り刃ｇが設けられている。なお、外側の円筒ｋの高さは、切り刃ｇによる怪我防止と切り刃ｇの保護のために、切り刃ｇを含む内側の円筒ｉの高さよりも５ｍｍ程度長い。また、外側の円筒ｋの外周面ａには滑り止めのための溝ｈが設けられている。
本考案の円筒形缶切りで、プルトップ付き飲料缶の上蓋を飲料の中に落下させることなく円形状に切り取るための手順は、最初にプルトップを押し上げて開缶し、続いてプルトップに空いている穴に上蓋落下防止用突起ｅの先端部分ｆを差し込んだ後、すべての切り刃ｇが上蓋に貫通するまで上から押し込み、すべての切り刃ｇが上蓋に貫通後は、切り刃ｇの数に応じて、例えば、切り刃ｇが３枚であれば３分の1回転、実施例では切り刃ｇが６枚設けられているので６分の１回転させて、最後に飲料缶本体から完全に切り離された上蓋を、上蓋落下防止用突起ｅに引っ掛けた状態で飲料缶本体から切り離すことで完了する。
【産業上の利用可能性】
【００１１】
本考案は、プルトップ付き飲料缶の上蓋を、飲料の中に落下させることなく円形状に正確に切り取る円筒形缶切りに有用である。また、本考案は、プルトップ付き飲料缶用の円筒形缶切りとして広い用途があり、あらゆる円筒形缶切りへの活用が可能である。
さらに、飲料を飲み終わった飲料缶はコップとしてばかりではなく、文房具等の収納缶、花差し、植木鉢、その他多くの用途への再利用が可能となり、その結果、缶入り飲料の消費が拡大することで産業上の利用価値が高い。
また、簡易な構造のために生産コストの低減が可能で、さらに、切り刃によるケガを防止するための安全性に十分配慮した構造になっている。
【符号の説明】
【００１２】
a             外側の円筒の外周面
b             外側の円筒の内周面
c             内側の円筒の内周面
d             外側の円筒と内側の円筒の接合部
e             上蓋落下防止用突起
f             上蓋落下防止用突起のＴ字状先端部
g             切り刃
ｈ            滑り止め用溝
i             内側の円筒
j             外側の円筒と内側の円筒の隙間
ｋ            外側の円筒
l             内側の円筒の外周面
m             外側の円筒の上部内周面
ｎ            外側の円筒の上部外周面
o             外側の円筒の底部内周面
ｐ            外側の円筒の底部外周面  
【図１】
0003189534.tif 000003
【図２】
0003189534.tif 000004
【図３】
0003189534.tif 000005
【手続補正書】
【提出日】平成25年12月26日(2013.12.26)
【手続補正１】
【補正対象書類名】実用新案登録請求の範囲
【補正対象項目名】全文
【補正方法】変更
【補正の内容】
【実用新案登録請求の範囲】
【請求項１】
プルトップ付き飲料缶のプルトップのついた上蓋を、上蓋の内周に沿って円形状に正確に切り取る機構を備えた円筒形の缶切りであって、その機構が、上部から底部に向かって末広がりの形状を有する金属製の円筒を外側に、底部先端部に複数の切り刃を設けた上部と底部の直径が同じ金属製の円筒を内側に配して、これらふたつの円筒を２ｍｍ程度の間隔をあけて上部で接合した構造を有することを特徴とする円筒形缶切り。
【請求項２】
プルトップに開いている穴に差し込むことにより、切り取った上蓋が飲料の中に落下するのを防止するための、上蓋落下防止用突起をふたつの円筒の上部接合部に設けた請求項１に記述の円筒形缶切り。
【請求項３】
内側の円筒の底部先端部に複数の切り刃を設けた、請求項１に記述の円筒形缶切り。